(57)【要約】【課題】【解決手段】相互係合可能な細長いリブ／溝構成(１４a、１４ｂ)の分離可能な留め手段（１４）が、パネル（１５）の開口部（１３）を閉じるように設けられている。スライダ（１００）が、留め手段と跨り関係で位置されて、バッグの開口部の上に位置して留め手段を跨っている支持部材（１１１）を有している。この支持部材は、留め手段と係合したり、留め手段を分離したりするように分離フィンガ（１１２）を支持し、スライダがバッグの閉じ状態で留め手段の一端部まで移動されると、支持部材を相互係合関係にする１対の脚部（１１３）が、支持部材から延びている。スライダをバッグに保持するために、脚部のフランジ（１１９）が、留め手段の下に延びている。留め手段の前記端部に隣接したバッグのパネルの縁部は、接着の間に互いに部分的に接着されており、前記留め手段は、前記パネル間に曲りくねった通路（２０a）を規定するようにクリンプ加工されている。
2005520749.tif 000002
【特許請求の範囲】
【請求項１】
開口部を規定するように互いに接着されるか、一体であるか、これら両方の組合せよりなるプラスチックシートまたはフィルムの少なくとも２つのパネルと、前記開口部を閉じるための１つ以上の相互係合可能な細長いリブ／溝構成の分離可能な留め手段と、この留め手段に対して跨り関係で位置されたスライダとを有している再閉可能なプラスチックバッグあって、前記スライダは、開口部の上に位置して前記留め手段を跨っている支持部材を有し、この支持部材は、前記留め手段と係合したり、スライダがバッグの開放状態で前記留め手段の第１の端部まで移動されると、前記留め手段を分離したりするように分離フィンガを支持し、また、前記スライダは、前記スライダがバッグの閉じ状態で前記留め手段の第２の端部まで移動されると、前記支持部材を相互係合関係にするために前記支持部材から延びている１対の脚部と、前記脚部に設けられ、前記スライダを前記バッグに保持するために前記留め手段の下に延びている手段とを有しており、
前記留め手段の前記第２の端部に隣接した前記バッグの前記パネルの縁部は、接着の間に互いに部分的に接着されており、前記留め手段は、前記パネル間に曲りくねった通路を規定するようにクリンプ加工されており、スライダの一部が、この通路に受入れられて前記曲りくねった通路の各側における前記パネルの部分により把持され、それによりバッグの閉じ状態で前記スライダを保持するようになっている再閉可能なプラスチックバッグ。
【請求項２】
少なくとも１つの細長い強化リブが、前記留め手段から内方でバッグのパネルの各々に前記留め手段に隣接し且つこれと平行に設けられている、請求項１に記載の再閉可能なプラスチックバッグ。
【請求項３】
各細長い強化リブは、前記留め手段の下に延びている前記スライダ保持手段と協力して前記スライダを前記留め手段と整合させる、請求項２に記載の再閉可能なプラスチックバッグ。
【請求項４】
前記各細長い強化リブおよび前記スライダ保持手段は、前記スライダが前記バッグの開口部に沿って移動されると、可聴音および／または触感を生じるように構成されている、請求項１または２に記載の再閉可能なプラスチックバッグ。
【請求項５】
曲りくねった通路内に受入れられる前記スライダの部分は、前記分離フィンガである、請求項１ないし４のうちのいずれか１つの項に記載の再閉可能なプラスチックバッグ。
【請求項６】
添付図面を参照して実質的に以上で説明したような再閉可能なプラスチックバッグ。
【発明の詳細な説明】
【技術分野】
【０００１】
本発明は、再閉可能なプラスチックバッグおよびスライダ組立体の改良に関し、すなわち、内容物を受入れたり取出したりするために繰り返し開閉されることができ、ときどき「ジッパーバッグ」として知られており、バッグの開閉のためにプラスチックスライダが使用されているプラスチックバッグに関する。このようなバッグは、頂縁部の長さに沿って延びている分離可能な留め手段を有し、従ってこの分離可能な留め手段を跨るスライダをバッグの開口部のところに有して、１対の可撓性プラスチックシートまたはパネルから形成されている。
【背景技術】
【０００２】
従来、このようなバッグは、２つのパネルを形成するように折り曲げられ、そしてパネルの自由縁部により開口部を形成して両側縁部に沿ってシールされた細長いプラスチックシートまたはフィルムから形成されている矩形形状のものである。開口部は、留め手段により繰り返し開閉されるようになっており、この留め手段は、バッグの開口部の下でパネルのうちの一方を横切って延びているリブが、バッグの開口部の下で他方のパネルを横切って延びている２つのリブ間に形成され、従ってこれらの２つのリブにより規定されている溝内に相互係合して構成されている。溝内に係合しているリブの各側の２つの平行に延びるリブが、前記リブを規定された溝内に捕捉するのに役立っている。
【０００３】
これらのリブおよび溝は、リブがその関連した溝内にきつく嵌り、関連した溝を規定するリブが変形してリブがその関連した溝に入れられてそこに捕捉されるように、成形され、且つ寸法決めされている。
従来、スライダは、脚部が垂下している横方向のフィンガ支持部材を有する相補構造により支持された分離フィンガと、分離可能な留め具手段の下に係合してスライダを留め具手段のまわりでバッグに保持する下方の内方向きのフランジとを有している。フィンガは、スライダが分離可能な留め具手段に沿って一方向に移動されると、留め具を分離し、その一方、スライダの脚部は、スライダが反対方向に移動されると、留め具手段のリブおよび溝を押付けて留め具を閉じる。
【発明の開示】
【発明が解決しようとする課題】
【０００４】
しかしながら、かかるバッグ／スライダ組立体は、スライダがそのバッグ閉じ位置へ移動されると、スライダを適所に保持し難い傾向があり、本発明の目的は、この難点を、除去されないなら、最小にすることである。
【課題を解決するための手段】
【０００５】
本発明によれば、開口部を規定するように互いに接着されるか、或いは一体であるプラスチックシートまたはフィルム、またはそれらの両方の組合せよりなる少なくとも２つのパネルと、前記開口部を閉じるための１つまたはそれ以上の相互係合可能な細長いリブ／溝構成の分離可能な留め手段と、前記留め手段と跨り関係で位置決めされたスライダとを有している再閉可能なプラスチックバッグあって、前記スライダは、開口部の上に位置して前記留め手段を跨っている支持部材であって、前記留め手段と係合したり、スライダがバッグの開放状態で前記留め手段の第１の端部まで移動されると、前記留め手段を分離したりするように分離フィンガを支持する支持部材と、前記スライダがバッグの閉じ状態で前記留め手段の第２の端部まで移動されると、前記支持部材を相互係合関係にするために前記支持部材から延びている１対の脚部と、前記脚部に設けられ、前記スライダを前記バッグに保持するために前記留め手段の下に延びている手段とを有しており、前記留め手段の前記第２の端部に隣接した前記バッグの前記パネルの縁部は、前記接着の間に互いに部分的に接着されており、前記留め手段は、前記パネル間に曲りくねった通路を規定するようにクリンプ加工されており、スライダの一部が、この通路に受入れられて前記曲りくねった通路の各側における前記パネルの部分により把持され、それによりバッグの閉じ状態で前記スライダを保持するようになっている再閉可能なプラスチックバッグが、意図される。
【０００６】
好ましくは、少なくとも１つの細長い強化リブが、前記留め手段から内方でバッグのパネルの各々に前記留め手段に隣接し且つこれと平行に設けられている。
好ましくは、各細長い強化リブは、前記留め手段の下に延びている前記スライダ保持手段と協力してスライダを前記留め手段と整合させる。
【０００７】
好ましくは、前記各細長い強化リブおよび前記スライダ保持手段は、前記スライダが前記バッグの開口部に沿って移動されると、可聴音および／または触感を生じるように構成されている。
好ましくは、曲りくねった通路内に受入れられる前記スライダの部分は、前記分離フィンガである。
【発明を実施するための最良の形態】
【０００８】
添付図面を参照して本発明の１つの好適な実施の形態を説明する。
この好適な実施の形態では、組立て後の再閉可能なプラスチックバッグが、全体的に１０として示されている。このプラスチックバッグは、プラスッチクシートまたはフィルムの押出し成形チューブにより形成されている。このチューブは、平らにされると、バッグの底部を規定する折り線１１を生じ、従って、１対のパネル１５を生じ、その後、これらのパネル１５は、それらの両側縁部１２に沿ってシールされてプラスチックバッグを形成し、このバッグは、チューブの他方の側が切り開かれると、その頂部に開口部１３を有する。この開口部１３は、押出し成形された留め手段１４により繰り返し開閉されるようになっている。この留め手段１４は、バッグの開口部のところでこれの下方において一方のパネルの幅を全体に渡って延びているリブ１４aを有する。このリブが、開口部のところでバッグの他方のパネルの幅全体に渡って延びている１対のリブ１４ｃにより規定された溝１４ｂ内に係合して捕捉されるようになっている。この溝１４ｂ内に係合するリブ１４aの各側の１対のリブは、溝を規定するリブ１４ｃを捕捉するのに役立つ。
【０００９】
また、留め手段１４の下方には、複数、この好適な実施の形態では、２つの平行な強化リブ１８が押出し成形されており、これらリブ１８は、実際、留め手段１４に加えられる力のいくらかを負担し、かくして留め手段の内方へのバッグの割れまたは破断の可能性を最小にし、同時に留め手段に隣接したバッグのパネルを強化して追加の剛性を付与し、それによりバッグを閉じるとき、相互係合するリブ／溝の整合を助成するようになっている。
【００１０】
前記留め手段１４および強化リブ１８は、すべて、バッグを形成するチューブが押出し成形されるときであって、チューブが切り開かれる前に押出し成形される。
前記強化リブ１８は、押出しダイのブロファイルを変えることにより、或いはチューブが押出されのに従ってチューブの表面に直接、プラスチック材料を射出することにより、或いはバッグ用のチューブが押出されているときに溝付きダイヘッドを通す形成方法により、形成されてもよい。必要なら、製造および材料がより安価な積層方法を使用することもできる。積層輪郭の場合、多層を積層し、それにより冷凍機および低温保存用途により適したバッグを製造することもできる。
【００１１】
パネルの上縁部の両端部は、例えば、熱および圧力融着により１９のところで互いに接着されており、本発明によれば、留め手段のバッグ閉じ端部のところの取着部分１９と、留め手段の隣接端部との間のパネルの上縁の部分２０が、クリンプ加工により、その長さにわたってパネルの縁部間に曲りくねった通路２０aを規定するように形成されており、この部分２０は、バッグを閉じた状態で（あとで説明する）スライダ１００の分離フィンガ１１２を受入れて保持するようになっている。また、この部分２０および隣接接着部分１９は、幾つかの公知の組立体では使用されなければならなかった隆起端部分または切欠きを必要とすることなしに、バッグの開口部の端部を離れるようなスライダの移動を防ぐのに役立つ。
【００１２】
この好適な実施例のスライダは、一体のプラスチック構成部品として成形されている。変更例として、スライダは、互いにクリップ留めされる複数の別体の部品から製造されることができる。
この好適な実施例の全体的に１００として示されるスライダは、支持部材１１１を有しており、この支持部材１１１の下側には、任意の数の形態の種類のものであってもよい分離フィンガ１１２が成形されており、通常、この分離フィンガ１１２は、スライダの残部に成形される。この支持部材は、それぞれ長さ方向両側部に沿って延びている垂下脚部、即ち、パネル１１３をその両側縁部に有している。プラスチックバッグの留め手段を開閉する間のスライダの移動中、フィンガ把持を助けるために、多数のリブ（図示せず）が、パネル１１３の外側に形成されてもよい。
【００１３】
また、幾つかの公知の組立体では使用されなければならなかった隆起端部分または切欠きを必要とすることなしに、スライダがバッグの開口部の端部から離れるように移動するのを防ぐために、支持部材１１１に形成された端ストッパ１２１が、スライダのバッグ開放位置で接着端部１９に係合している。パネルの下端部は、プラスチックバッグの留め手段１４の下に形成された下押縁部１２０に係合するフランジ１１９を一端側に支持しており、スライダのフランジ１１９とバッグの強化リブ１８との協力は、スライダを留め手段と整合させるのに役立つ。
【００１４】
また、各強化リブ１８およびフランジ１１９は、例えば、間隔を隔てられたリブにより構成されてもよく、この場合、フランジ１１９が強化リブ１８に対して移動されると、スライダがバッグの開口部に沿って移動されるときに可聴音および／または触感が生じるように、一方のリブが、他方のリブの間隔を隔てられた溝と係合する。
【図面の簡単な説明】
【００１５】
【図１】バッグの閉じ状態におけるスライダ／バッグ組立体の斜視図である。
【図２】バッグの開き状態におけるスライダ／バッグ組立体の斜視図である。
【図３】バッグの閉じ状態から或いはこの状態へ移動する過程中のスライダ／バッグ組立体の斜視図である。
【図４】図１ないす図３のスライダ／バッグ組立体の側面図である。
【図５】図４の組立体の横方向横断面図である。
【図６】図４および図５の組立体の下から見た図である。
【図１】
2005520749.tif 000003
【図２】
2005520749.tif 000004
【図３】
2005520749.tif 000005
【図４】
2005520749.tif 000006
【図５】
2005520749.tif 000007
【図６】
2005520749.tif 000008
【手続補正書】
【提出日】平成16年3月18日(2004.3.18)
【手続補正１】
【補正対象書類名】特許請求の範囲
【補正対象項目名】請求項１
【補正方法】変更
【補正の内容】
【請求項１】
開口部を規定するように互いに接合されるか、或いは一体であるプラスチックシートまたはフィルム、またはそれらの両方の組合せよりなる少なくとも２つのパネルと、前記開口部を閉じるための１つまたはそれ以上の相互係合可能な細長いリブ／溝構成の分離可能な留め手段と、前記留め手段と跨り関係で位置決めされたスライダとを有している再閉可能なプラスチックバッグあって、前記スライダは、開口部の上に位置して前記留め手段を跨っている支持部材であって、前記留め手段と係合したり、スライダがバッグの開放状態で前記留め手段の第１の端部まで移動されると、前記留め手段を分離したりするように分離フィンガを支持する支持部材と、前記スライダがバッグの閉じ状態で前記留め手段の第２の端部まで移動されると、前記支持部材を相互係合関係にするために前記支持部材から延びている１対の脚部と、前記脚部に設けられ、前記スライダを前記バッグに保持するために前記留め手段の下に延びている手段とを有しており、前記留め手段の前記第２の端部に隣接した前記バッグの前記パネルの縁部は、前記接合の間に互いに部分的に接合されており、前記留め手段は、横方向に向けられた突起により前記パネル間に曲りくねった通路を規定するようにクリンプ加工されており、スライダの一部が、この通路に受入れられて前記曲りくねった通路の各側における前記パネルの前記突起により把持され、それによりバッグの閉じ状態で前記スライダを保持するようになっている再閉可能なプラスチックバッグ。
【手続補正２】
【補正対象書類名】明細書
【補正対象項目名】０００５
【補正方法】変更
【補正の内容】
【０００５】
本発明によれば、開口部を規定するように互いに接合されるか、或いは一体であるプラスチックシートまたはフィルム、またはそれらの両方の組合せよりなる少なくとも２つのパネルと、前記開口部を閉じるための１つまたはそれ以上の相互係合可能な細長いリブ／溝構成の分離可能な留め手段と、前記留め手段と跨り関係で位置決めされたスライダとを有している再閉可能なプラスチックバッグあって、前記スライダは、開口部の上に位置して前記留め手段を跨っている支持部材であって、前記留め手段と係合したり、スライダがバッグの開放状態で前記留め手段の第１の端部まで移動されると、前記留め手段を分離したりするように分離フィンガを支持する支持部材と、前記スライダがバッグの閉じ状態で前記留め手段の第２の端部まで移動されると、前記支持部材を相互係合関係にするために前記支持部材から延びている１対の脚部と、前記脚部に設けられ、前記スライダを前記バッグに保持するために前記留め手段の下に延びている手段とを有しており、前記留め手段の前記第２の端部に隣接した前記バッグの前記パネルの縁部は、前記接合の間に互いに部分的に接合されており、前記留め手段は、横方向に向けられた突起により前記パネル間に曲りくねった通路を規定するようにクリンプ加工されており、スライダの一部が、この通路に受入れられて前記曲りくねった通路の各側における前記パネルの前記突起により把持され、それによりバッグの閉じ状態で前記スライダを保持する。


【国際調査報告】
2005520749.tif 000009
2005520749.tif 000010
2005520749.tif 000011